(57)【要約】【課題】  従来の収納間仕切家具や収納ユニットは、基本的には床面に固定するために、限られた空間を複数の用途にすることは想定していなかった。そこで、ホームオフィス用の家具としては使い勝手が良いとは言えなかった。【解決手段】  大型の収納棚とデスクを兼ねたキャビネットＫとこのキャビネットＫの前面を覆う折戸Ｄとから構成したマルチファーニチュアＦであって、キャビネットＫと折戸Ｄに夫々キャスタ１、１８を設けて移動自在とし、折戸Ｄは複数にて構成し、開閉自在とすることでオフィス空間とリビングに切り替え可能とした。【選択図】  図１
2005177375.tif 000002
【特許請求の範囲】
【請求項１】
大型の収納棚とデスクを兼ねたキャビネットＫとこのキャビネットＫの前面を覆う折戸Ｄとから構成したマルチファーニチュアＦであって、キャビネットＫと折戸Ｄに夫々キャスタを設けて移動自在とし、折戸は複数にて構成し、開閉自在とすることでオフィス空間とリビングに切り替え可能としたことを特徴とするマルチファーニチュア。
【請求項２】
折戸の一側に長椅子を一体に設け、また長椅子の背面に折戸からキャビネットＫの背板を貫く開口を設けて内部に照明器具を配置して前後に側面照明可能とした請求項１記載のマルチファーニチュア。
【発明の詳細な説明】
【技術分野】
【０００１】
この発明は、ホームオフィス対応のマルチファーニチュアで、ワンルームマンションや広いリビングダイニングを備えたマンションの居室をオフィススペースと居室空間に簡単に切り換え可能として用いるものである。
【背景技術】
【０００２】
マンションなどの居室の床面から天井に至るまで配置する大型の収納を兼ねた家具としては様々な提案がなされ商品が提供されている。（室内  インテリア事典・家具篇  Ｐ４５９〜４８２  参照）
第一には、壁がわりとなる収納間仕切家具がある。これは建築との納まり具合が問題となるが、天井との隙間は幅木で、左右の壁との隙間はフィラーで調製することになる。
第二には、収納ユニットがある。これは単品の家具と違って、上下左右に繋げられるパーツを備えることで所望の高さ幅に対応できることになる。
【０００３】
【非特許文献１】室内  インテリア事典１・家具篇Ｐ４５９〜４８２
【発明の開示】
【発明が解決しようとする課題】
【０００４】
上記従来の収納間仕切家具や収納ユニットは、基本的には床面に固定するものであるために、限られた空間を複数の用途にすることは想定していなかった。そこで、ホームオフィス用の家具としては使い勝手が良いとは言えなかった。
【課題を解決するための手段】
【０００５】
そこで、本発明は、ソーホーと称される、居宅と事務所を兼用するマンションや倉庫を事務所兼居宅とする場合に設置するのに好適なマルチファーニチュアとして開発したものである。
そして、本発明の要旨とするのは、大型の収納棚とデスクを兼ねたキャビネットＫとこのキャビネットＫの前面を覆う折戸Ｄとから構成したマルチファーニチュアＦであって、収納棚と折戸に夫々キャスタを設けて移動自在とし、折戸は複数にて構成し、開閉自在とすることでオフィス空間とリビングに切り替え可能としたことを特徴とする。
また、本発明は、折戸の一側に長椅子を一体に設け、また長椅子の背面に折戸からキャビネットＫの背板を貫く開口を設けて内部に照明器具を配置して前後に側面照明可能としたことをも要旨とする。
【発明の効果】
【０００６】
本発明は以上のような構成からなるもので、全体として大型の収納棚とデスクを一体に構成し、前面には複数の折戸を配してなり、夫々にローラをもって移動自在としてあるので、ホームオフィスとして用いるときには折戸を開けて平面Ｌ形或いは溝型としてオフィス空間を形成し、居室とするときには折戸を閉じて収納棚の全面を覆うようにしてコンパクトになりスペースを取らずに部屋の壁面に沿うように寄せて置くことができるのである。
また、折戸の一側に複数の椅子を一体に設けておくことで折戸を閉じておいても雰囲気を損なうことがない。さらに、椅子の背面上部に開口を穿ち内部に照明スタンドを配置すればリビングとしてくつろげるスペースとなる。
【発明を実施するための最良の形態】
【０００７】
以下、図面に示す本発明の実施形態に即して説明する。
このマルチファーニチュアＦは、大型の収納棚とデスクを兼ねたキャビネットＫとこのキャビネットＫの前面を覆う折戸Ｄとからなるものである。
【０００８】
キャビネットＫは、前面を開放し、奥行８００ｍｍ，幅３６００ｍｍ、高さ２０００ｍｍ程度とするものである。
中央を執務用のデスクとするので、キャスタ１を備えた底板２、２は左右のみに配し、側板３、３、天板４及び背板５で前面を開放する。
側板３、３間には床面より７００ｍｍ程度の高さとなる肉厚のカウンター６を配して、底板２、２を備えない中央のカウンタ−６をデスクとする。
【０００９】
カウンター６より下には、底板２、２との間に縦仕切板７、７により前面を開放した収納スペースとし、必要に応じて内部に棚板や仕切板８を配して収納スペースを区画する。
【００１０】
カウンター６の上部の左側には側板３とほぼ同じ奥行きの縦仕切板９をもって照明灯スタンドのためのスペースとしてあり、この照明スタンドのスペースに対応する背板５には窓穴５ａを穿って背面を照明できるようにしてある。
そのほかにはカウンター６の奥行の三分の一強の３００ｍｍ程度縦横の区画板１０により複数の収納棚を形成し、資料棚、書棚、記念盾などの収納スペースとする。
縦横の区画板１０の配置、奥行は任意に設計変更することができるもので、例えば、カウンター６上の奥行を広くしてデスクトップパソコンを収納できるような広いスペースとすることもできる。
【００１１】
折戸Ｄは、キャビネットＫの前面を全て覆うものであるが、二分割して、幅員の半分を覆う左折戸１５、残りの半分を覆う右折戸１６とからなる。
夫々の折戸１５、１６の下端面には各々二つのキャスタ１８、１８を取り付け固定し、折戸１５、１６は蝶番１７で折り畳み可能に連結してある。
【００１２】
この折戸Ｄは、左折戸１５の側縁でキャビネットＫの左の側板３の前端部に複数の蝶番１７にて繋げるようにする。
左折戸１５には照明スタンドのスペースに対応する窓穴１５ａを穿ってあり折戸Ｄを閉じた状態で室内を照明できるようにしてある。
そこで、照明スタンドを点灯すると、折戸Ｄを閉じた状態でも前後を照明できることになる。
また、この左折戸１５の前面には、長椅子２０を設けるようにしてある。この長椅子２０は、平板をＴ形に組み合わせて座部２１と脚部２２とし、脚部２２の底にはキャスタ２３を取り付け、座部２１を左折戸１５に接着乃至ビス止めなどで固定するようにして構成してある。
【００１３】
右折戸１６の右上部には窓穴１６ａを穿ち、蝶番２５ａにて開閉自在で窓穴１６ａを塞ぐことのできる扉２５を設けてある。
この扉２５を開放することでキャビネットＫ内部を覗くことができることになる。また、実際に用いる場合に右折戸１６の単調さを払拭するために、扉２５の内面を写真、絵、ポスターなどを貼ったり、掲示することが望ましい。
【００１４】
背板５にベッドＢの頭部側を押し付けるようにして用いるときには（図３及び図４ｄ参照）、ベッド用の小照明や小物を置くための起倒自在な棚板２６を設けるようにすることが望ましい。この棚板２６は、背板５の一部をステー２６ａにより起倒自在となるようにして構成している。
【００１５】
図示の実施形態では折戸Ｄを一対二つの左折戸１５、右折戸１６としたが、複数であればよいので、三以上としてもよい。
図４のａ乃至ｄの概略平面図に示す通り、Ｉ型、溝型、Ｌ型或いはＩ型とベッドＢを組み付けるなど様々な配置で用いることができることになる。
【図面の簡単な説明】
【００１６】
【図１】この発明に係るマルチファーニチュアの折戸を開けた状態の斜視図である。
【図２】この発明に係るマルリファーニチュアの折戸を閉じた状態の斜視図である。
【図３】この発明に係るマルチファーニチュアでキャビネットの背面にベットを配置した使用状態の斜視図である。
【図４】ａｂｃｄはこの発明に係るマルチファーニチュアの使用態様を示す概略平面図である。
【符号の説明】
【００１７】
Ｆ  マルチファーニチュア
Ｋ  キャビネット
Ｄ  折戸
１  キャスタ
２  底板
３  側板
４  天板
５  背板
６  カウンター
７  縦仕切板
８  仕切板
９  縦仕切板
１０  区画板
１５  左折戸
１５ａ  窓穴
１６  右折戸
１７  蝶番
１８  キャスタ
２０  長椅子
２１  座部
２２  脚部
２５  扉
【図１】
2005177375.tif 000003
【図２】
2005177375.tif 000004
【図３】
2005177375.tif 000005
【図４】
2005177375.tif 000006